(57)【要約】【課題】  仮止めの必要がなく、精度良く容易に積み上げることができるようにした分割補強金属板を提供する。【解決手段】  柱を補強するための囲い金属板に用いられる分割補強金属板であり、Ｌ字状の補強金属板本体と、前記補強板本体の上下端に配置された水平方向補強リブと、前記補強板本体の左右端に配置された鉛直方向補強リブと、前記上端の水平方向補強リブに設けられた少なくとも一つの突起部と、前記突起部に対応して前記下端の水平方向補強リブに設けられた少なくとも一つの孔部と、を有するようにした。【選択図】図１
2014058810.tif 000002
【特許請求の範囲】
【請求項１】
柱を補強するための囲い金属板に用いられる分割補強金属板であり、
Ｌ字状の補強金属板本体と、
前記補強板本体の上下端に配置された水平方向補強リブと、
前記補強板本体の左右端に配置された鉛直方向補強リブと、
前記上端の水平方向補強リブに設けられた少なくとも一つの突起部と、
前記突起部に対応して前記下端の水平方向補強リブに設けられた少なくとも一つの孔部と、
を有することを特徴とする分割補強金属板。
【請求項２】
前記突起部が前記上端の水平方向補強リブの両端部近傍に設けられ、
前記突起部に対応して前記孔部が前記下端の水平方向補強リブの両端部近傍に設けられてなることを特徴とする請求項１記載の分割補強金属板。
【請求項３】
前記突起部が、板状又は円柱状であることを特徴とする請求項１又は２記載の分割補強金属板。
【請求項４】
柱を補強するための囲い金属板であり、請求項１〜３いずれか１項記載の分割補強金属板を４個対向せしめてなることを特徴とする囲い金属板。
【発明の詳細な説明】
【技術分野】
【０００１】
本発明は、コンクリート製の柱を補強するための囲い金属板に用いられる分割補強金属板に関する。
【背景技術】
【０００２】
従来、ビルなどの建造物の耐震性を向上させるために、コンクリート製の柱を補強金属板で補強する補強構造として、例えば、特許文献１に記載された柱の補強構造が知られている。
【０００３】
特許文献１に記載された補強構造は、柱の周囲全面に、所定の間隔を保った囲い鋼板を対向させ、この間隔内にクラウト材を充填することによって、既存の柱と囲い鋼板とを一体化して柱の強度を向上させるものである。
【０００４】
また、特許文献１に記載された囲い鋼板を改良したものとして、図９及び図１０に示すような、囲い鋼板も使われるようになってきている。
【０００５】
図９及び図１０において、符号１００は、コンクリート製の柱を補強するための囲い鋼板を示す。囲い鋼板１００は、４個のＬ字状の分割補強金属板１０３を対向させて柱の周囲全面を覆うようにするものである。分割補強金属板１０３は、分割補強金属板本体１０２の上下端に配置された水平方向補強リブ１０４ａ，１０４ｃと左右端に配置された鉛直方向補強リブ１０４ｂ，１０４ｄとを有している。
【０００６】
鉛直方向補強リブ１０４ｂと鉛直方向補強リブ１０４ｄとを合わせるように、４個の分割補強金属板１０３を対向させて柱の周囲全面を覆うようにして囲い鋼板１００とし、水平方向補強リブ１０４ａと水平方向補強リブ１０４ｃとを合わせるようにして分割補強金属板１０３を積み上げて、囲い鋼板１００が積み上がった構造とするものである。
【０００７】
しかしながら、分割補強金属板１０３は、図９のように複数段に積み上げて且つ図１０のように４個を対向させて使用されるが、分割補強金属板１０３を複数段にただ単に積み上げるだけであるため、積み上げる工程の際に、ずれてしまうおそれがある。そのため、ずれないように精度良く複数段に積み上げるためには、コーキング剤などで仮止めを行う必要があった。そのため、仮止めを行う分の工期を要するという問題があった。
【先行技術文献】
【特許文献】
【０００８】
【特許文献１】特開２０１２−３６６３６号公報
【発明の概要】
【発明が解決しようとする課題】
【０００９】
本発明は、上記従来技術の問題点に鑑みてなされたもので、仮止めの必要がなく、精度良く容易に積み上げることができるようにした分割補強金属板を提供することを目的とする。
【課題を解決するための手段】
【００１０】
上記課題を解決するために、本発明の分割補強金属板は、柱を補強するための囲い金属板に用いられる分割補強金属板であり、Ｌ字状の補強金属板本体と、前記補強金属板本体の上下端に配置された水平方向補強リブと、前記補強金属板本体の左右端に配置された鉛直方向補強リブと、前記上端の水平方向補強リブに設けられた少なくとも一つの突起部と、前記突起部に対応して前記下端の水平方向補強リブに設けられた少なくとも一つの孔部と、を有することを特徴とする。
【００１１】
前記突起部が前記上端の水平方向補強リブの両端部近傍に設けられ、前記突起部に対応して前記孔部が前記下端の水平方向補強リブの両端部近傍に設けられてなるのが好ましい。
【００１２】
前記分割補強金属板の材質としては、金属であれば特に限定はないが、電気亜鉛メッキ鋼板で作製されてなるのが好適である。
【００１３】
また、前記突起部は、板状又は円柱状であるのが好適である。
【００１４】
本発明の囲い金属板は、前記分割補強金属板を４個対向せしめてなることを特徴とする。
【発明の効果】
【００１５】
本発明の分割補強金属板によれば、仮止めの必要がなく、精度良く容易に積み上げることができるようにした分割補強金属板を提供することができるという著大な効果を奏する。
【図面の簡単な説明】
【００１６】
【図１】本発明の分割補強金属板の一つの実施の形態を示す斜視図である。
【図２】図１の分割補強金属板を積み上げた状態を示す斜視図である。
【図３】図１の分割補強金属板を対向させてコンクリート製の柱を補強する状態を示す説明図である。
【図４】前記分割補強金属板を４個対向せしめて囲い金属板とした状態を示す横方向断面図である。
【図５】前記分割補強金属板を４個対向せしめて囲い金属板とした状態を示す斜視図である。
【図６】前記分割補強金属板を４個対向せしめて複数段積み上げた状態を示す側面図である。
【図７】本発明の分割補強金属板の別の実施の形態を示す斜視図である。
【図８】本発明の分割補強金属板の他の実施の形態を示す斜視図である。
【図９】従来の分割補強金属板を積み上げた状態を示す斜視図である。
【図１０】従来の分割補強金属板を対向させてコンクリート製の柱を補強する状態を示す説明図である。
【発明を実施するための形態】
【００１７】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１８】
図１〜図６において、符号１０Ａは本発明の分割補強金属板の一つの実施の形態を示す。分割補強金属板１０Ａは、柱を補強するための囲い金属板に用いられる分割補強金属板であり、Ｌ字状の補強金属板本体１２と、前記補強金属板本体１２の上下端に配置された水平方向補強リブ１４ａ，１４ｃと、前記補強金属板本体１２の左右端に配置された鉛直方向補強リブ１４ｂ，１４ｄと、前記上端の水平方向補強リブ１４ａに設けられた突起部１６ａ，１６ｂと、前記突起部１６ａ，１６ｂに対応して前記下端の水平方向補強リブ１４ｃに設けられた孔部１８ａ，１８ｂと、を有する構成とされている。なお、分割補強金属板１０Ａは、電気亜鉛メッキ鋼板で作製した。
【００１９】
図１〜図６に示した分割補強金属板１０Ａの例では、突起部と孔部は、それぞれ２つずつ設けた例を示した。また、前記突起部１６ａ，１６ｂは、前記上端の水平方向補強リブ１４ａの両端部近傍にそれぞれ設けられており、前記突起部１６ａ，１６ｂに対応して前記孔部１８ａ，１８ｂが前記下端の水平方向補強リブ１４ｃの両端部近傍にそれぞれ設けられた構成を示した。
【００２０】
そして、分割補強金属板１０Ａの例では、前記突起部１６ａ，１６ｂは、板状とされている。なお、板状の突起部とする場合には、上端の方が下端よりも狭まった形状である台形状が好ましい。
【００２１】
分割補強金属板１０Ａは、図２に示されるように、前記突起部１６ａ，１６ｂを前記孔部１８ａ，１８ｂに挿入せしめて、複数段に積み上げられて使用される。
【００２２】
より詳しくは、図３，図４及び図５に示されるように、コンクリート柱３８の周囲を囲むように、複数の分割補強金属板１０Ａを対向させる（図示例では４つ）。前記分割補強金属板１０Ａを４個対向させると、図５に示される囲い金属板３４となる。
【００２３】
そして、複数の分割補強金属板１０Ａを対向させて、前記突起部１６ａ，１６ｂを前記孔部１８ａ，１８ｂに挿入せしめて、複数段積み上げれば、図６のように、コンクリート製の柱を補強金属板で補強する補強構造３６となる。なお、図６において、符号３０は天井であり、符号３２は床を示す。
【００２４】
さらに、図３に示すように、モルタル２４で仕上げることで、制震効果の有する柱ができあがる。
【００２５】
次に、本発明の分割補強金属板の別の実施の形態を図７に示す。図７において、符号１０Ｂは、本発明の分割補強金属板の別の実施の形態を示す。
【００２６】
分割補強金属板１０Ｂは、柱を補強するための囲い金属板に用いられる分割補強金属板であり、Ｌ字状の補強金属板本体４０と、前記補強金属板本体４０の上下端に配置された水平方向補強リブ４２ａ，４２ｃ（４２ｃの図示は省略）と、前記補強金属板本体４０の左右端に配置された鉛直方向補強リブ４２ｂ，４２ｄと、前記上端の水平方向補強リブ４２ａに設けられた突起部４４と、前記突起部４４に対応して前記下端の水平方向補強リブ４２ｃに設けられた孔部（図示は省略）と、を有する構成とされている。
【００２７】
このように、分割補強金属板１０Ｂでは、上端の水平方向補強リブ突起部及び下端の水平方向補強リブに設けられた孔部とは、それぞれ一つとされている。そして、分割補強金属板１０Ｂの例では、前記突起部４４は、板状とされている。なお、板状の突起部とする場合には、上端の方が下端よりも狭まった形状である台形状が好ましい。分割補強金属板１０Ｂは、上端の水平方向補強リブ突起部及び下端の水平方向補強リブに設けられた孔部以外の構成は、分割補強金属板１０Ａと同様である。
【００２８】
さらに、本発明の分割補強金属板の他の実施の形態を図８に示す。図８において、符号１０Ｃは、本発明の分割補強金属板の他の実施の形態を示す。
【００２９】
分割補強金属板１０Ｃは、柱を補強するための囲い金属板に用いられる分割補強金属板であり、Ｌ字状の補強金属板本体４６と、前記補強金属板本体４６の上下端に配置された水平方向補強リブ４８ａ，４８ｃ（４８ｃの図示は省略）と、前記補強金属板本体４６の左右端に配置された鉛直方向補強リブ４８ｂ，４８ｄと、前記上端の水平方向補強リブ４８ａに設けられた突起部５０ａ，５０ｂと、前記突起部５０ａ，５０ｂに対応して前記下端の水平方向補強リブ４８ｃに設けられた孔部（図示は省略）と、を有する構成とされている。
【００３０】
このように、分割補強金属板１０Ｃでは、上端の水平方向補強リブ突起部及び下端の水平方向補強リブに設けられた孔部とは、それぞれ２つとされている。そして、分割補強金属板１０Ｃの例では、前記突起部５０ａ，５０ｂは、円柱状とされている。分割補強金属板１０Ｃは、上端の水平方向補強リブ突起部及び下端の水平方向補強リブに設けられた孔部以外の構成は、分割補強金属板１０Ａと同様である。
【符号の説明】
【００３１】
１０Ａ，１０Ｂ，１０Ｃ：分割補強金属板、１２，４０，４６：補強金属板本体、１４ａ，１４ｃ，４２ａ，４２ｃ，４８ａ，４８ｃ，１０４ａ，１０４ｃ：水平方向補強リブ、１４ｂ，１４ｄ，４２ｂ，４２ｄ，４８ｂ，４８ｄ，１０４ｂ，１０４ｄ：鉛直方向補強リブ、１６ａ，１６ｂ，４４，５０ａ，５０ｂ：突起部、１８ａ，１８ｂ：孔部、２４：モルタル、３０：天井、３２：床、３４：囲い金属板、３６：補強構造、３８：コンクリート柱、１００：囲い鋼板、１０２：分割補強金属板本体、１０３：従来の分割補強金属板。
【図１】
2014058810.tif 000003
【図２】
2014058810.tif 000004
【図３】
2014058810.tif 000005
【図４】
2014058810.tif 000006
【図５】
2014058810.tif 000007
【図６】
2014058810.tif 000008
【図７】
2014058810.tif 000009
【図８】
2014058810.tif 000010
【図９】
2014058810.tif 000011
【図１０】
2014058810.tif 000012